(57)【要約】【課題】  本発明は、ＣＤＭＡネットワークにおける移動体無線端末のような携帯用通信装置のための方法及び装置であってその地理上の位置を識別するための方法及び装置に関する。【解決手段】  通信ネットワークは、パイロット信号を送信する複数の基地局を含む。ここで１つの基地局のパイロット信号は実質的に固定された期間の整数倍だけ他の基地局のパイロット信号からオフセットされている。基地局の地理上の位置が抽出され得る関連する同期チャンネルメッセージも送信される。携帯用通信装置は、主基地局からのパイロット信号の到達時間と少なくとも２つの他の基地局からのパイロット信号の到達時間との間の遅延を計算することによりその位置を識別する。計算された遅延の１つに対応する基地局の各対について、携帯用通信装置は、初期に３つの曲線のうちの選択された１つの曲線上にその位置があるものと明示する。携帯用通信装置の現在の位置は、選択された曲線の交点にもとづいて識別される。識別された位置は携帯用通信装置内に記憶され、そこから送信され又はそこで表示される。【選択図】    図２
2005012846.tif 000002
【特許請求の範囲】
【請求項１】
携帯用通信装置であって、
受信器と、
送信器と、
該受信器に結合され、主基地局から送信されるパイロット信号の到達時間と少なくとも２つの他の基地局から送信されるパイロット信号の到達時間との間の遅延を算出するための相対的遅延計算ユニットと、
該受信器に結合され、該主基地局および該少なくとも２つの他の基地局の位置を表わす情報を記憶するためのメモリユニットと、
該相対的遅延計算ユニットおよび該メモリユニットに結合されたプロセッサであって、該携帯用通信装置の地理上の位置を識別するようプログラムされているプロセッサとを含み、該情報が、該プロセッサより、該パイロット信号と関連する同期チャンネルメッセージから抽出されるものである携帯用通信装置。
【請求項２】
請求項１に記載の携帯用通信装置において、
該プロセッサが、該携帯用通信装置の地理上の位置を該遅延および該情報にもとづいて識別するようプログラムされているものである携帯用通信装置。
【請求項３】
請求項１に記載の携帯用通信装置において、
該プロセッサが該送信器に結合されており、そして該送信器が該携帯用通信装
【請求項４】
無線ネットワークにおける携帯用通信装置の位置を識別するためのシステムであって、その少なくとも一部分は
該無線ネットワークにおける少なくとも３つの複数の基地局であって、その各々が該ネットワークにおける各地の基地局により送信されるパイロット信号に対して
実質的に一定の持続期間の整数倍だけ時間的にオフセットされているパイロット信号を送信する少なくとも３つの複数の基地局と、
該携帯用通信装置における受信器と、
該携帯用通信装置における送信器と、
該携帯用通信装置に配置され該受信器に結合された、主基地局から送信されたパイロット信号の到達時間と少なくとも２つの他の基地局から送信されたパイロット信号の間の遅延を算出するための相対遅延計算器であって、該主基地局および該少なくとも２つの他の基地局は該少なくとも３つの複数の基地局の間にあるものである相対遅延計算器と、
該携帯用通信装置に配置され該受信器に結合された、該主基地局及び該少なくとも２つの他の基地局の位置を表示する情報を記憶するためのメモリユニットと、
該携帯用通信装置に配置され該相対遅延計算ユニットおよび該メモリユニットに結合されたプロセッサであって、該携帯用通信装置の地理上の位置を識別するようプログラムされているプロセッサとを含むものであるシステム。
【請求項５】
無線ネットワークにおいて携帯用通信デバイスの位置を識別するよう該携帯用通信装置を動作させる方法であって、
少なくとも３つの基地局からパイロット信号を受信するステップであって、各基地局により送信されるパイロット信号が他の基地局により送信されるパイロット信号に対して実質的に一定の持続期間の整数倍だけ時間的にオフセットされているようなステップと、
該基地局の１つから送信されたパイロット信号の到達時間と該基地局の少なくと２つの他のものから送信されたパイロット信号の到達時間との間の遅延を、該携帯用通信装置のところで算出するステップと、
そのパイロット信号が受信された基地局の位置を表示する情報を受信するステップと、
該遅延の１つに対応する基地局の各対について、該携帯用通信装置の地理上の位置が３つの曲線のうちの選択された１つの曲線上にあるものと明示し、これにより結果として複数の選択された曲線上にあるものと明示するステップと、
該携帯用通信装置の地理上の位置を、該複数の選択された曲線の交点にもとづいて該携帯用通信装置のところで識別するステップとを含むものである方法。
【請求項６】
請求項５に記載の方法において、
該遅延を算出するステップが、パイロット信号のいくつかの系列にわたる平均遅延を算出するステップを含むものである方法。
【請求項７】
請求項５に記載の方法において、
該３つの曲線が、２つの双曲線と１つの直線とからなるものである方法。
【請求項８】
請求項５に記載の方法において、
該識別するステップが、該携帯用通信装置の地理上の位置を該複数の選択された曲線の交点にあるとして識別するステップを含むものである方法。
【請求項９】
請求項５に記載の方法において、
該識別するステップが、重みづけ関数を用いて該携帯用通信装置の正確な地理上の位置を推定するステップを含むものである方法。
【請求項１０】
請求項１に記載の携帯用通信装置において、
該受信器が、符号分割多重アクセス（ＣＤＭＡ）ネットワークにおける基地局から送信されるパイロット信号を検出するよう同調するようになっており、
該情報が該パイロット信号と関連づけられた同期チャンネルメッセージから抽出されるようになっており、および
該プロセッサが、予め定められた時間期間にわたり、もしくは、予め定められた数のオフセットエラーのサンプルについて該携帯用通信装置の平均的な地理上の位置を迅速に算出するよう動作するようになっている携帯用通信装置。
【請求項１１】
請求項５に記載の方法において、さらに
該携帯用通信装置の地理上の位置を遠隔位置に送信するステップを含む方法。
【発明の詳細な説明】
【技術分野】
【０００１】
本発明は、一般にはＣＤＭＡセルラ電話ネットワークのような無線通信システムに、特に携帯用通信装置のための方法および装置であってこのようなシステム内の通信装置自体の位置を識別するための方法および装置に関するものである。
【背景技術】
【０００２】
セルラネットワークにおける移動体又は携帯用無線端末は、このような無線端末のユーザーに地理上の領域内をあちこち移動しネットワークにおける基地局との通信チャンネルを維持又は設定できるようにする。基地局は、典型的には存在する電話ネットワークに接続されこれによりより大きな遠隔通信システムを提供することとなる。
【０００３】
移動体又は携帯用端末の位置を決定することが望ましいという状況がしばしば生ずる。このような状況は、例えば、救援が急送され得るような医療又は防犯についての非常事態において生じ得る。同様に、無線端末を伴なって運行しつつある財産又は人々を追跡することを目的として無線端末が特定の地域内を移動するにつれ無線端末を追跡するのが望ましい。
【０００４】
移動体又は携帯用無線端末の位置をつきとめるためのいくつかの手法が知られている。ローラン−Ｃ受信器では、例えば、無線パルスナビゲーションシステムが用いられる。別の提案された手法では、グローバルポジショニングシステム（ＧＰＳ）がセルラ−電話ネットワークと連合して用いられている。しかしながら、ＧＰＳは衛星を基礎とするナビゲーションおよびシステムであり建物内ではうまく作動しない。その上、このシステムでは、ユーザーがセルラ電話サービスと同様ＧＰＳ受信器の両方を有していることが要求される。
【０００５】
移動体又は携帯用無線端末の位置をつきとめるための別の手法は、米国特許第５，２９３，６５５号に開示されている。開示された方法は、セルラ−ネットワークにおける複数の基地局から送信されおよび位置をつきとめられるべき無線端末により受信される同期化タイミング信号についての相対的な伝搬遅延を集計することを含んでいる。無線端末は、次に集計された情報を受信端末の位置が識別されるネットワーク内の基地局又は他のユニットに送信する。前述の特許の開示の１つの特徴は、無線端末の位置を識別するために無線端末がその無線端末の外部にあるネットワーク中のユニットに情報を送信せねばならない、ということである。その上、前述の特許の開示によれば無線端末のユーザーはその位置をただちにアクセスすることができない。
【０００６】
[発明の要旨]
本発明は、無線端末がネットワーク内の他のユニットに情報を送信することを要求することのないセルラ−電話ネットワークにおける移動体又は携帯無線端末の位置を識別するための方法および装置を開示するものである。本発明の原理に従えば、ネットワークにおける無線端末が、それ自体の位置を、符号分割多重アクセス（ＣＤＭＡ）の存在するフレームワーク技術を利用しそのため現在のＣＤＭＡプロトコルを修正することを要さない仕方で決定づけることができる。
【０００７】
本発明の携帯用通信装置は、受信器および送信器を適当に含んでいる。それは、受信器に結合された、主基地局から送信されたパイロット信号の到達時間と少なくとも２つの他の基地局から送信されたパイロット信号の到達時間との間の遅延を算出するための相対遅延計算ユニットをも含んでいる。その装置は、受信器に結合された、そのパイロット信号が受信された主基地局及び他の基地局の位置を表示する情報を記憶するためのメモリユニットをも有している。加えて、その装置は、相対遅延計算ユニット及びメモリユニットに結合され、携帯用通信装置の位置を識別するようプログラムされているプロセッサを適当に含んでいる。
本発明の他の特徴及び作用効果は、以下の詳細な説明及びそれと関連する図面を参照することにより容易に明白となろう。
【０００８】
［詳細な説明］
図１は、本発明が特に有利となるセルラ−無線ネットワーク１００のブロックダイヤグラムである。そのネットワーク１００は、好ましくは複数の基地局１１０、１１１及び１１２を含む符号分割多重アクセス（ＣＤＭＡ）ネットワークである。図１のネットワーク１００には３つの基地局のみが示されているが、典型的なＣＤＭＡネットワークはより多くの基地局をもち得る。基地局１１０−１１２は、当該技術分野においては周知のように通信リンクを介して接続されている。また、当該技術分野において周知のように、ＣＤＭＡネットワーク１００における各基地局は、同期技術の許容範囲内の同期手法でパイロット信号又は基準タイミング信号を発生しかつ送信する。パイロット信号又は基準タイミング信号は、例えばＣＤＭＡ標準に従って変調され得るビットの既知の同期系列である。基地局１１０のような１つの基地局によって送信されるパイロット信号は、ネットワーク１００における他の基地局により送信されるパイロット信号に対して固定された期間の整数倍だけ時間的にオフセットされている。この固定された期間は、互い違いにされたパイロット信号送信時間と呼ばれシンボレ△によって表わられ得る。互い違いにされたパイロット信号送信時間は、実質的にシステムの許容範囲内にて一定である。このようにして、１つの基地局によって送信されるパイロット信号を表わすビット系列の開始は、他の基地局により送信されたパイロット信号を表わすビット系列の開始から、互い違いにされたパイロット信号送信時間の整数倍だけオフセットされる。タイムオフセットは、１つの基地局のパイロット信号を他の基地局のそれらから区別させる。
【０００９】
基地局１１０−１１２は、ネットワーク１００内の移動体又は携帯用無線端末１３０が遠隔通信ネットワークとリンクできるネットワークを提供する。本明細書では、移動体又は携帯用無線端末１３０のような携帯用通信装置を包括的に移動体と呼ぶ。基地局１１０−１１２により送信され移動体１３０により受信されるパイロット信号が図１においてそれぞれライン１２０−１２２により表わされている。互い違いにされたパイロット信号送信時間は、典型的には基地局１１０−１１２から移動体１３０までのパイロット信号の伝搬時間よりは数ケタ大きいということに注意すべきである。互い違いにされたパイロット送信時間△は、装置１３０中のメモリに永久的に記憶され得る。
【００１０】
図２は、本発明の原理に従う移動体１３０のブロックダイヤグラムである。移動体１３０は、好ましくはユーザーに移動体２００がその位置を決定もしくは識別するよう指示させるキイパッド２０１、ハンドセット又は他の装置を含んでいる。これとは別に、移動体１３０はネットワーク何の他のリースから発する指示に応動するよう設計され得る。その上さらなる実施例においては、移動体１３０は、周期的な基準においてその位置を自動的に識別するようプログラムされ得る。
【００１１】
キイパッド２０１は、基地局からのパイロット信号を検出するよう同調される受信器２１０に結合されている。移動体１３０の位置を識別するための指示を受信する際に、移動体１３０はパイロット信号をサーチする。好ましい実施例においては、移動体１３０は最も強いパイロット信号にロックする。そのパイロット信号が最も強い基地局が主基地局として機能する。もっとも、そのパイロット信号が最初に受信された基地局のような他の基地局が主基地局として機能もし得る。移動局１３０は、加えて他の基地局からのパイロット信号をサーチし続ける。
【００１２】
移動体１３０は、受信器２１０に結合される相対遅延計算ユニット２１５をさらに含んでいる。この相対遅延ユニット２１５は、各パイロット信号が受信された時間を記録するタイマ又はクロック２１４を含んでいる。一旦、少なくとも３つの基地局からのパイロット信号が受信されると、相対遅延計算ユニット２１５は、主基地局から送信されたパイロット信号の到達時間と他の基地局から送信されたパイロット信号の到達時間との間の遅延を算出する。これとは別に、主基地局からのパイロット信号が受信されるときにタイマ２１４が走行し始め得る。他の基地局からのひきつづくパイロット信号を受信するにつれ、相対遅延時間計算ユニットは主基地局からのパイロット信号が受信されてから経過した時間を記録する。このようにして、相対遅延計算ユニット２１５は、主基地局から送信されたパイロット信号の到達時間と少なくとも２つの他の基地局から送信されたパイロット信号の到達時間との間の遅延を決定する。
【００１３】
移動体は、そのパイロット信号が受信された各基地局と関連する同期チャンネルメッセージに含まれる情報をも抽出する。詳しくいうと、移動体１３０は、そのパイロット信号が受信された各基地局の地理上の位置又は座標を示す情報を抽出する。基地局の地理上の座標は、少なくとも一時的にさらに以下で説明されるような用途のため基地局位置メモリユニット２１６に記憶され得る。
【００１４】
移動体位置ユニット２２０は、パイロット信号の到達時間の間の計算された遅延および基地局の座標を示す信号を受信するよう相対遅延計算ユニット２１５および基地局メモリ２１６に結合されている。移動体位置ユニット２２０および相対遅延計算ユニット２１５は、適切にプログラムされたマイクロプロセッサにより実行され得る。算出された遅延の１つに対応する基地局の各対について、移動体位置ユニット２２０は、移動局１３０の位置を、図３に図解されるように、３の曲線の選択された１つの上に位置づけられるものと明示する。
【００１５】
図３は、本発明の原理に従って移動体の位置を識別するための手法を図解するものである。図３は、Ａ、ＢおよびＣと印される少なくとも３つの基地局からパイロット信号を受信した移動体１３０を示している。説明の目的で、基地局Ａが主基地局であると仮定されるであろう。さらに、移動体１３０が基地局ＡおよびＢそれぞれから送信されたパイロット信号の到達時間の間の遅延ＴＡＢを計算したものと仮定されるであろう。又、移動体１３０が基地局ＡおよびＣからそれぞれ送信されるパイロット信号の到達時間の間の遅延ＴＡＣを計算したものと仮定されるであろう。遅延ＴＡＢに対応する基地局ＡおよびＢの対に関して、第１の曲線は、基地局Ａから基地局Ｂに引かれた線を垂直に２等分する直線ＺＺ’によって定義される。第２および第３の曲線ＶＶ’およびＷＷ’は、それぞれ次の等式を満足する点（ｘ，ｙ）として定義される。
【数１】
2005012846.tif 000003
【００１６】
ここで、ｋおよびｌはそれぞれ基地局ＡおよびＢを結ぶ線分の中点の水平座標および垂直座標である。また、上記等式において、「ａ」は、遅延ＴＡＢと無線伝搬速度との積を２の係数で割り算したものに等しい。上記等式において、「ｂ２  」はａ２  と（ｅ２  −１）との積に等しく、ここで「ｅ」は点（ｋ，ｌ）と基地局Ａとの間の距離を「ａ」で割ったものに等しい。
【００１７】
移動体位置ユニット２２０は、基地局Ａからのパイロット信号と基地局Ｂからのパイロット信号の送信時間の間の遅延ＴＡＢおよび実際のと期間△ＡＢの相対的な値にもとづいて、移動体１３０が３０の曲線ＺＺ’、ＶＶ’又はＷＷ’のうちょ選択された１つに位置づけられているものと明示する。移動体には、送信時間の間の実際の期間が知られてはいないが、互いちがいにされたパイロット送信時間△のどの整数倍が値ＴＡＢにもっとも近いかを決定することによってその値を推定することが可能である。こうして、もしＴＡＢが△ＡＢに等しければ、そのとき移動体位置ユニット２２０は、移動体１３０が曲線ＺＺ’上に位置づけられているものと識別する。もし、ＴＡＢが△ＡＢよりも大きければ、そのとき移動体位置ユニット２２０は、移動体１３０が双曲線ＶＶ’上に位置づけられているものと識別する。最後に、もしＴＡＢが△ＡＢよりも小さいとすれば、移動体位置ユニット２２０は、移動体１３０曲線ＷＷ’上に位置づけられているものと識別する。
【００１８】
好ましい実施例において、ネットワークにおける種々の基地局のパイロット信号が同じパワーで送信されているものと仮定すれば、移動体位置ユニット２２０は受信されたパイロット信号の相対的な強度又はパワーにもとづいて移動体１３０が３つの曲線の１つに位置づけられているものと明示するであろう。詳しくいうと、移動体位置ユニット２２０は、その受信パイロット信号がより強い基地局により接近した双曲線上に移動体１３０が位置づけられているものと識別するであろう。もし受信されたパイロット信号の強さがシステムの許容範囲内で同じであったら、そのとき移動体ユニット２２０は移動体１３０が直線ＺＺ’上に位置づけられているものと識別するであろう。例示の目的で、移動体位置ユニット２２０は、移動体１３０が選択された曲線ＶＶ’上に位置づけられていると明示しているものと仮定されている。
【００１９】
次に、同じようなやり方で、基地局ＡおよびＣから送信されるパイロット信号の到達時間の間の遅延ＴＡＢを用いておよび基地局ＡおよびＣの座標を用いて、移動体位置ユニット２２０は移動体１３０が３つの同様な曲線のうちの選択された１つの上にあるものと明示する。
【００２０】
遅延ＴＡＣに対応する基地局ＡおよびＣの対に関して、第１の曲線は基地局Ａから基地局Ｃに引いた線を垂直に２等分する直線ｒｒ’によって定義される。第２および第３の曲線は、それぞれ次の等式を満足する点（ｘ，ｙ）として定義される。
【数２】
2005012846.tif 000004
ここで、ｍおよびｎはそれぞれ基地局ＡおよびＣを結ぶ線分の中点の水平座標および垂直座標である。上記等式において、「ｆ」は遅延ＴＡＣと無線伝搬速度の積を２の係数で割り算したものに等しい。上記等式で、「ｇ２  」はｆ２  と（ｈ２  −１）の積に等しく、ここで「ｈ」は点（ｍ，ｎ）と基地局Ａの間の距離を「ｆ」で割り算したものに等しい。
【００２１】
前述したように、移動体位置ユニット２２０は、基地局Ａからのパイロット信号および基地局Ｃからのパイロット信号の送信時間の間の遅延ＴＡＣおよび実際の期間△ＡＣの相対的な値にもとづいて、３つの曲線ｒｒ’、ｓｓ’又はｔｔ’のうちの選択された１つの上に移動体が位置づけられていることを明示する。移動体１３０は、互い違いにされたパイロット信号送信時間△のどの整数倍が値ＴＡＣに最も近いかを決定することにより△ＡＣの値を推定する。これとは別に、好ましい実施例においては、移動体位置ユニット２２０は、受信されたパイロット信号の相対的な強さ又はパワーにもとづいて移動体１３０が３つの曲線ｒｒ’、ｓｓ’又はｔｔ’のうちの１つに位置づけられているものと明示する。再度、例示の目的で、移動体位置ユニット２２０は移動体が選択された曲線ｓｓ’に位置づけられていると明示しているものと仮定される。
【００２２】
最終的に、２つの選択された曲線の間の交点が移動体１３０の識別された現在の位置を表わす。こうして、図３に示される例においては移動体位置ユニット２２０は移動体の地理上の位置を選択された曲線ｖｖ’およびｓｓ’の間の交点にあると識別するであろう。
【００２３】
図４は、本発明の原理に従って移動体１３０のような携帯用通信装置の位置を識別するステップを便宜的に説明するフローチャートである。ステップ４００に示されているように、図３における基地局Ａ、ＢおよびＣのような少なくとも３つの複数の基地局は上述したような仕方でパイロット信号を送信する。次に、ステップ４１０により示されるように、携帯用通信装置は少なくとも３つの基地局からパイロット信号を受信する。再度図３を参照すると、移動体１３０はこうして基地局Ａ、ＢおよびＣからパイロット信号を受信するであろう。次にステップ４２０に示されるように、携帯用通信装置は基地局の１つから送信されるパイロット信号の到達時間と少なくとも２つの他の基地局から送信されるパイロット信号の到達時間との間の遅延を算出する。図３に図解される例および上述の説明を参照すると、移動体１３０は遅延ＴＡＢおよびＴＡＣを算出するであろう。ステップ４３０に示されるように、携帯用通信装置は、そのパイロット信号が受信された基地局の位置を表わす情報をも受信する。再度、図３を参照すると、移動体１３０は基地局Ａ、ＢおよびＣの位置を表わす情報を受信するであろう。上で説明したように、この情報は各パイロット信号と関連する同期チャンネルメッセージから得られ得る。次にステップ４４０により示されるように、算出された遅延の１つに対応する基地局の各対について、携帯用通信装置の地理上の位置が３つの曲線のうちの選択された１つ曲線（これにより結果として複数の曲線が選択される）上にあるものと明示される。図３に図解される例を再度参照すれば、移動体１３０は、基地局ＡおよびＢの対に関して移動体の位置が３つの曲線ＺＺ’、ＷＷおよびＶＶ’のうちから選択されたＶＶ’の上にあるものと明示する。同様に、移動体１３０は、基地局ＡおよびＣの対に関して、移動体の位置が３つの曲線ｒｒ’、ｓｓ’およびｔｔ’のうちから選択された曲線ｓｓ’上にあると明示する。ステップ４５０において示されるように、携帯用通信装置の地理上の位置は、選択された曲線の交点にもとづいて識別される。こうして、図３に示される例においては、移動体１３０はその地理上の位置が曲線ＶＶ’およびＳＳ’の交点にあると識別するであろう。最後に、ステップ４６０に示されるように携帯用通信装置の位置は、携帯用通信装置内のメモリに記憶され、携帯用通信装置と関連するディスプレイスクリーンに表示され、又は遠隔地に送信され得る。
【００２４】
とりわけ、一旦移動体位置ユニット２２０が移動体の位置を識別すると、識別された位置はつづく検索のための移動体位置メモリ２４０に記憶される。別の実施例において、移動体位置ユニット２２０に結合された送信器２１１は、識別された位置を中央追跡局のような遠隔位置に対して、又はキイパッド２０１を介して入力された情報に従いユーザーにより明示された位置に対して自動的に送信するであろう。さらに別の実施例においては、識別された位置は、移動体位置ユニット２２０に結合された電子的又は他のディスプレイスクリーン２３０に表示されるであろう。位置は、例えばテキストとしてあるいは電子マップの形式においてのいずれかにより表示されるであろう。この実施例により移動体の位置が移動体のユーザーに知らされるであろう。本発明の応用には例えばナビゲーション、財産又は人々の追跡およびフリート管理が含まれる。
【００２５】
本発明の原理によれば、いずれかの特定の基地局によって送出されるパイロット信号の伝送時間と到達時間の間の絶対的な又は実際の遅延は決定される又は計算される必要がないということに注意すべきである。むしろ、到達時間の間の相対的な遅延のみが用いられる。また、基地局がそれらのそれぞれのパイロット信号を送信しつつある系列を適当に設定するために移動体１３０はパイロット信号のいくつかの系列を受信する必要とし得ることにも注意すべきである。パイロット信号のいくつかの系列を受信することは、移動体１３０に到達時間の間の平均遅延を用いさせる。このようにして、パイロット取り返し速度が典型的に３７．５ヘルツであるＣＤＭＡシステムにおいては、およそ７秒の期間にわたるパイロット信号の受信は、信頼性のある結果を得るのに十分なようである。また、３つの基地局より多くのパイロット信号は、移動体の位置の識別を改良するために用いられ得る。このような状況においては、各算出された遅延について選択される曲線及び基地局の対応する対は、システムの許容範囲に因り２点以上で交差し得る。移動体は、そのとき、移動体の正確な位置を推定するための重みつけられた関数を用いることにより交点の近傍内に位置づけられ得る。
【００２６】
本発明について特定の実施例を参照して記述してきたが、本発明の精神および範囲内における他の構成が当業者には明白であることが理解されるであろう。例えば、曲線の異なる組が携帯用通信装置の位置を明示および識別するために用いられ得るということが理解されるであろう。したがって、本発明は掲げられた特許請求の範囲のみによって限定されるものである。
【図面の簡単な説明】
【００２７】
【図１】本発明がとりわけ有利となるセルラ無線ネットワークのブロックダイヤグラムである。
【図２】本発明の原理に従う移動体のブロックダイヤグラムである。
【図３】本発明の原理に従って移動体の位置を識別する手法を説明する図である。
【図４】本発明の原理に従って携帯用通信装置の位置を識別するステップを説明するフローチャートである。
【符号の説明】
【００２８】
１００  セルラ無線ネットワーク
１１０、１１１、１１２  基地局
１２０、１２１、１２３  パイロット信号
１３０  移動体
２０１  キイパッド
２１０  受信器
２１１  送信器
２１４  タイマ
２１５  相対遅延計算ユニット
２１６  基地局位置メモリ
２２０  移動体位置ユニット
２３０  電子ディスプレイ
２４０  移動体位置メモリ
【図１】
2005012846.tif 000005
【図２】
2005012846.tif 000006
【図３】
2005012846.tif 000007
【図４】
2005012846.tif 000008